(57)【要約】【課題】エスカレータにおいて、クリップガイドの交換作業を容易にするクリップガイド差込工具を提供する。【解決手段】クリップガイド差込工具５０は、クリップガイド４４の交換時に、コンベヤ乗降口に位置する手摺入り込み口２１において手摺ガイドレール３０と移動手摺１８との間の隙間に手摺ガイドレール３０の縁部を覆って設けられるクリップガイド４４を差し込むための工具である。クリップガイド差込工具５０は、把持部５２と、把持部５２から延伸する延伸部５４と、延伸部５４の先端に回動可能に取り付けら、手摺入り込み口２１の外側近傍で手摺ガイドレール３０に固定されるレール固定部５８と、レール固定部５８の取付位置から把持部５２側に所定距離だけ離れて延伸部５４に取り付けられ、クリップガイド４４の連続部分を解放可能に固定するクリップ固定部５６とを備える。【選択図】図８
2011116518.tif 000002
【特許請求の範囲】
【請求項１】
クリップガイドの交換時に、コンベヤ乗降口に位置する手摺入り込み口において手摺ガイドレールと移動手摺との間の隙間に手摺ガイドレールの縁部を覆って設けられるクリップガイドを差し込むための工具であって、
把持部と、
把持部から延伸する延伸部と、
延伸部の先端に回動可能に取り付けら、手摺入り込み口の外側近傍で手摺ガイドレールに固定されるレール固定部と、
レール固定部の取付位置から把持部側に所定距離だけ離れて延伸部に取り付けられ、前記隙間に差し込まれるクリップガイドの連続部分を解放可能に固定するクリップ固定部と
を備えることを特徴とするクリップガイド差込工具。
【請求項２】
請求項１に記載のクリップガイド差込工具において、
クリップ固定部は延伸部に対して回動可能に取り付けられていることを特徴とするクリップガイド差込工具。
【請求項３】
請求項１または２に記載のクリップガイド差込工具において、
クリップガイドはＵ字状断面を有して細長く連続する部材であり、クリップ固定部では、クリップガイド内に挿入板が挿入された状態でクリップガイドを上下から挟持して固定されることを特徴とするクリップガイド差込工具。
【請求項４】
請求項１または２に記載のクリップガイド差込工具において、
クリップガイドはＵ字状断面を有して細長く連続する部材であり、クリップ固定部では、クリップガイドの上片部または下片部を挟持してクリップガイドが固定されることを特徴とするクリップガイド差込工具。
【請求項５】
請求項３または４に記載のクリップガイド差込工具において、
クリップ固定部におけるクリップガイドの挟持面が粗面化されていることを特徴とするクリップガイド差込工具。
【発明の詳細な説明】
【技術分野】
【０００１】
本発明は、乗客コンベヤについて用いられるクリップガイド差込工具に関し、特に、クリップガイドの交換時に、コンベヤ乗降口に位置する手摺入り込み口において手摺ガイドレールと移動手摺との間の隙間にクリップガイドを差し込むためのクリップガイド差込工具に関する。
【背景技術】
【０００２】
従来、乗客コンベヤの１つであるエスカレータは、階段状をなして移動するステップと同期してその両側の欄干部上を移動する移動手摺を有している。移動手摺は、下りエスカレータでは下層階の乗降口、上りエスカレータでは上層階の乗降口において、Ｕターンするように移動方向を反転してからトラスの手摺入り込み口内へと進入していく。
【０００３】
この手摺入り込み口にハンドガードスイッチ（ＨＧＳ）なる安全装置が設けられたエスカレータが知られている。このハンドガードスイッチ装置は、トラスの手摺入り込み口と移動手摺との間の隙間に移動手摺と共に幼児等の手が引きずり込まれるのを防止するためのもので、上記手摺入り込み口において移動手摺を若干の隙間を空けて覆うとともにトラス端面から外側に例えば数センチメートル程度突出して設けられるゴム製のブーツと、このブーツをトラス内側から付勢して所定位置に保持する付勢部材と、乗降口付近にいる子供（特に幼児）の手がブーツ端面にぶつかってブーツがトラス内側に移動したことを検出する検出スイッチとを備える。この検出スイッチで上記ブーツが移動したことを検出したとき、エスカレータの運転を非常停止させることによって上記手摺入り込み口への乗客の手の引き込みを防止している。
【０００４】
一方、無端状をなす移動手摺は、金属板で形成されたガイドレールによってガイドされながらエスカレータの上層階と下層階との間を周回移動しているが、例えばウレタンゴム製の移動手摺の内面がガイドレールの縁部に摺接して磨耗や損傷するのを防止するために、例えば略Ｕ字状の断面形状を有する樹脂製のクリップガイドをガイドレールの縁部を覆って取り付けていることがある。このクリップガイドにより移動手摺の内面とガイドレールの縁部とが直に接触することはなくなるが、クリップガイドの外表面に対して移動手摺が摺接するためにクリップガイドが徐々に磨耗していく。そのため、クリップガイドは、消耗品として所定のタイミングで新品に交換する必要がある。
【０００５】
手摺ガイドレールは、ステップの両側に下層階から上層階にかけて延伸して配置され、上下層階の各乗降口においては手摺入り込み部からトラス内の所定位置まで入り込んでいる。エスカレータが新設される際、クリップガイドは、エスカレータが手摺入り込み口にハンドガードスイッチ装置を組み付ける前に、露出した手摺ガイドレールの縁部にクリップガイドを側方から容易に嵌め込むことができる。
【０００６】
一方、既設のエスカレータにおいてクリップガイドを交換するとき、エスカレータのトラス外に位置する手摺ガイドレールの部分については移動手摺を取り外すことで手摺ガイドレールを露出させてクリップガイドを比較的容易に交換できる。これに対し、手摺入り込み口からトラス内に延びる手摺ガイドレールの部分については、それを覆う移動手摺と、さらにその外側を覆って設けられたハンドガイドスイッチ装置のブーツが存在するため、トラスの一部およびハンドガイドスイッチ装置を分解せずに手摺ガイドレールを露出させることができず、これらの分解作業には相当の工数を要する。
【０００７】
そのため、通常、トラス内に入り込んだ手摺ガイドレールの部分に取り付けられたクリップガイドの交換は、移動手摺を手摺入り込み口のところまでガイドレールから取り外した状態で、乗降口において古いクリップガイドを引き抜いた後、新品のクリップガイドの端部を手摺ガイドレールの縁部に嵌め込んだ状態で手摺ガイドレールと移動手摺との間の隙間にクリップガイドを押し込んでいくことを行っている。
【０００８】
しかしながら、クリップガイドの挿入長さが長くなるに連れてクリープガイドの内面とガイドレールの縁部表面との摩擦力、および、クリープガイドの外面と移動手摺内面との摩擦力が大きくなってくるため、約半分程度の長さ又は深さまでは一人の作業員の手力で押し込めるものの、それ以上は所定長さまでクリップガイドを二人掛りで少しずつ押し込まなければならなかった。
【０００９】
このように１ヶ所の手摺入り込み口における１本のクリップガイドの差し込みにも結構な時間と労力を要するのであるが、手摺ガイドレールは左右両側に２つのガイドレール部を有し、また、上下層階の各乗降口の両側に４ヶ所の手摺入り込み口が存在することから、上記のようなクリップガイドの差込作業を１基のエスカレータにつき合計８回行わなければならず、クリップガイドの交換にかなりの時間および労力が掛かっているのが現状である。
【００１０】
なお、本願出願人が調査した限りにおいて、本発明に関連する先行技術文献を発見することはできなかった。
【発明の概要】
【発明が解決しようとする課題】
【００１１】
本発明は、乗客コンベヤにおけるクリップガイドの交換時に、手摺入り込み部におけるクリップガイドの差し込みを容易に行うことができるクリップガイド差込工具を提供することを課題とする。
【課題を解決するための手段】
【００１２】
本発明に係るクリップガイド差込工具は、クリップガイドの交換時に、コンベヤ乗降口に位置する手摺入り込み口において手摺ガイドレールと移動手摺との間の隙間に手摺ガイドレールの縁部を覆って設けられるクリップガイドを差し込むための工具であって、把持部と、把持部から延伸する延伸部と、延伸部の先端に回動可能に取り付けら、手摺入り込み口の外側近傍で手摺ガイドレールに固定されるレール固定部と、レール固定部の取付位置から把持部側に所定距離だけ離れて延伸部に取り付けられ、前記隙間に差し込まれるクリップガイドの連続部分を解放可能に固定するクリップ固定部とを備える。
【００１３】
本発明に係るクリップガイド差込工具において、クリップ固定部は延伸部に対して回動可能に取り付けられているのが好ましい。
【００１４】
また、本発明に係るクリップガイド差込工具において、クリップガイドはＵ字状断面を有して細長く連続する部材であり、クリップ固定部では、クリップガイド内に挿入板が挿入された状態でクリップガイドを上下から挟持して固定されてもよいし、あるいは、クリップガイドの上片部または下片部を挟持してクリップガイドが固定されてもよい。
【００１５】
さらに、本発明に係るクリップガイド差込工具において、クリップ固定部におけるクリップガイドの挟持面が粗面化されていてもよい。
【発明の効果】
【００１６】
本発明に係るクリップ差込工具によれば、手摺ガイドレールに固定されたレール固定部を支点、クリップガイドが固定されたクリップ固定部を作用点、および、作業者が握る把持部を力点として、把持部をクリップガイドの挿入方向に押すことで、てこ（第２種てこ）の原理によりクリップ固定部に固定されたクリップガイドの長手方向に大きな押し込み力を作用させて、手摺ガイドレールの縁部を覆った状態でクリップガイドを手摺入り込み口からトラス内部へ差し込むことができる。その結果、一人の作業者でもクリップ交換作業を容易に行うことができる。
【図面の簡単な説明】
【００１７】
【図１】一実施形態のクリップガイド差込工具が用いられるエスカレータ乗降口を示す概略構成図である。
【図２】図１のエスカレータ乗降口を示す側面図である。
【図３】図１におけるＢ−Ｂ線拡大断面図（一部側面を含む）である。
【図４】クリップガイドの一端部を示す拡大斜視図である。
【図５】一実施形態であるクリップガイド差込工具の全体斜視図である。
【図６】クリップガイド差込工具のレール固定部を示す側面図である。
【図７】クリップガイド差込工具のクリップ固定部を示す側面図である。
【図８】クリップガイド差込工具の使用状態を説明するための図である。
【発明を実施するための形態】
【００１８】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１９】
なお、下記の説明では、乗客コンベヤの１つであるエスカレータを例に説明するが、これに限定されず、本発明に係るクリップガイド差込工具は例えば動く歩道等の他の乗客コンベヤでも使用可能である。
【００２０】
図１は、本発明の一実施形態であるクリップガイド差込工具がクリップガイド交換作業に用いられるエスカレータ１０の乗降口１２を示す図であり、図２は、図１のエスカレータ１０の乗降口１２の側面図である。
【００２１】
エスカレータ１０は、上層階と下層階との間で乗客を搬送する又は移動させる周知構成のものであり、階段状に連なって移動する多数のステップ１４と、ステップ１４の両側にステップ移動方向に延伸して立設される欄干部１６と、欄干部１６上に固定された手摺ガイドレール３０（図３参照）によってガイドされながらステップ１４の移動に同期して移動する例えばウレタンゴム製の無端状の移動手摺１８とを備える。ここで、エスカレータ１０は、ステップ１４および移動手摺１８が矢印Ａ方向に移動する下りエスカレータとして運転されている。
【００２２】
乗降口１２近傍の欄干部１６の内面には、スピーカ１７が設置されている。このスピーカ１７は、乗降口１２にいる乗客やその他の人（例えば、その近傍で遊んでいる子供等）に対して、音声アナウンスや警報ブザーを発するためのものである。
【００２３】
エスカレータ１０の下層階側の乗降口１２において、移動手摺１８はＵターン領域１８ａを有しており、このＵターン領域１８ａにおいて移動方向を反転させた移動手摺１８はトラス２０に形成される手摺入り込み口２１からトラス２０内へと進入していく。それから、無端状の移動手摺１８は、トラス２０内を上層階側に向かって移動し、上層階側の乗降口においてトラス２０から出た後、上記と同様にＵターン領域を介して移動方向を反転させて再び矢印Ａ方向へと移動する。このようにして移動手摺１８は、下層階と上層階との間で周回移動する。
【００２４】
図１，２に示すように、移動手摺１８がトラス２０内に進入する手摺入り込み口２１には、上述したハンドガードスイッチ装置を構成するブーツ２２が設けられている。ブーツ２２は、略Ｃ字状横断面を有する移動手摺１８と同様に略Ｃ字状の横断面を有し、移動手摺１８の外側を若干の隙間（例えば１〜２ｍｍ程度）を空けて覆うとともにトラス２０の端面から外側に例えば数センチメートル程度突出して配置されている。このブーツ２２の外側端面に子供（特に幼児）の手等が当たってブーツ２２がトラス２０の内側へ移動したことがマイクロスイッチ等により検出されると、エスカレータ１０の運転を非常停止させる制御が行われるようになっている。
【００２５】
エスカレータ１０の乗降口１２の床部１５には、例えばステンレス等の金属からなる長方形状の平板で構成される床板３２が設置されている。床板３２は、両側の移動手摺１８の間隔にほぼ等しい幅を有しており、トラス２０に設けられる支持部材（図示せず）上に載置または固定されて設置される。床板３２のステップ１４側の縁部には、コムプレート３４が連設されている。コムプレート３４には、ステップ１４の踏板上に形成される多数のクリートに対して若干の隙間を空けた状態で噛合するコム３６が固定されている。
【００２６】
図３は、図１中の手摺入り込み部近傍におけるＢ−Ｂ線拡大断面図である。この図では、側端面として描かれるブーツ２２以外のものが断面で示されている。手摺ガイドレール３０は、金属板を曲げ加工して形成されることができ、Ｕ字状の断面を有する中央部３８と、この中央部３８から左右両側に張り出したガイドレール部４０，４２とを有する。ガイドレール部４０，４２の縁部は、例えばＵ字状又は略Ｕ字状の断面形状を有するクリップガイド４４が嵌め込まれてそれぞれ覆われている。
【００２７】
手摺ガイドレール３０の外側には、略Ｃ字状断面を有する移動手摺１８が配置されている。移動手摺１８は、手摺ガイドレール３０に沿って移動する際、その内面がクリップガイド４４の外面に摺接することになる。また、移動手摺１８のさらに外側には、略Ｃ字状の端面形状をなすブーツ２２が移動手摺２２との間に若干の隙間を空けて、かつ、奥行き方向に移動可能に設けられている。
【００２８】
クリップガイド４４は、例えばプラスチックを押出し成形することによって細長く連続する部材として形成されたものを、適当な長さに切断して使用することができる。また、図４に示すように、クリップガイド４４は、上片部４５ａおよび下片部４５ｂを含む略Ｕ字状の断面形状を有し、上片部４５ａと下片部４５ｂとの間に開口４６が形成されている。この開口４６を介してクリップガイド４４をガイドレール部４０，４２に側方から嵌め込むことができ、また、上記開口４６を介してクリップガイド４４内に後述する挿入板等を挿入することができる。
【００２９】
続いて、図５〜８を参照して、本実施形態のクリップガイド差込工具５０について説明する。図５はクリップガイド差込工具５０の全体斜視図、図６はクリップガイド差込工具５０のレール固定部５８の側面図、図７はクリップガイド差込工具５０のクリップ固定部５６の側面図である。
【００３０】
図５に示すように、クリップガイド差込工具５０は、把持部５２と、把持部５２から延伸する延伸部５４と、延伸部５４の先端に回動可能に取り付けら、乗降口１２の手摺入り込み口２１（図２参照）の外側近傍で手摺ガイドレール３０に固定されるレール固定部５８と、レール固定部５８の取付位置から把持部５２側に所定距離だけ離れて延伸部５４に回動可能に取り付けられ、クリップガイド４４の連続部分を解放可能に固定するクリップ固定部５６とを備える。
【００３１】
把持部５２は、この工具５０を使用する作業者が手で掴んで把持する部分であり、握り易くするために延伸部５４よりも少し太い円柱状に形成されている。ただし、把持部５２は、このような形状に限定されるものではなく、他の形状であってもよい。例えば、延伸部５４を形成する細長い部材の端部またはその近傍がそのままの形状で把持部として使用されてもよい。
【００３２】
延伸部５４は、扁平断面を有する細長い金属部材によって好適に形成されることができる。ただし、延伸部５４の断面形状は、扁平断面に限定されるものではなく、円形等の他の形状であってもよい。また、高剛性を有するプラスチック製の棒状部材が延伸部として用いられてもよい。
【００３３】
図６に示すように、レール固定部５８は、例えば、略Ｕ字状又は略コ字状の側面形状をなすように曲げ加工された金属板により好適に構成されることができる。また、レール固定部５８は、延伸部５４の先端部に形成された貫通穴６０に挿通された支持ピン６２に連結されており、これにより延伸部５４に対して回動可能に支持されている。さらに、レール固定部５８は、上板部６４と下板部６６とを有する。下板部６６には、雌ねじ穴８６が形成されている。この雌ねじ穴８６には、蝶ねじ７０が螺合されている。蝶ねじ７０のクリップガイド４４内に位置するねじ先端部には、挟持板７２が固定されている。挟持板７２の挟持面または上面７３は、例えば、微小な凹凸を形成する、多数の溝を形成する、ローレット加工を施す、サンドペーパのような粗面部材を貼着する等の手法によって粗面化されている。
【００３４】
このように構成されるレール固定部５８では、蝶ねじ７０を緩めた状態で上板部６４と挟持板７２とに間に手摺ガイドレール３０のガイドレール部４０（または４２）を開口６５から挿入し、蝶ねじ７０を強く締め付けることによってガイドレール部４０が上板部６４と挟持板７２との間に挟持され、これによりレール固定部５８が手摺ガイドレール３０に対して固定される。このとき、挟持板７２の上面７３が粗面化されていることで、レール固定部５８が手摺ガイドレール３０に対してずれるのが抑制され、その固定状態がより強固になる。なお、ガイドレール部４０に対する挟持面となる上板部６４の内面も、上記挟持板７２の上面７３と同様に粗面化してもよい。
【００３５】
図７に示すように、クリップ固定部５６は、上述したレール固定部５８と同一の構成を有するため、同一要素には同一符合を付して、重複することとなる説明を援用により省略する。このようにクリップ固定部５６が延伸部５４に対して回動可能に取り付けてあることで、クリップガイド４４の固定および押し込みの際の向き変更に柔軟に適合できる。ただし、クリップ固定部５６は延伸部５４に対して所定角度（例えば図５に示す程度の角度）をなして固定されていてもよい。
【００３６】
クリップ固定部５６では、蝶ねじ７０を緩めた状態で上板部６４と挟持板７２とに間にクリップガイド４４を開口４６から挿入する。このときクリップガイド４４内には、開口４６の高さとほぼ等しい厚みを有する挿入板７４を上板部６４と下板部６６との間に配置しておく。そして、蝶ねじ７０を強く締め付けることによってクリップガイド４４が上板部６４と挟持板７２との間に挟持され、これによりクリップガイド４４がクリップ固定部５６に固定される。
【００３７】
このとき、挟持板７２の上面７３が粗面化されていることで、クリップ固定部５６がクリップガイド４４に対してずれるのが抑制され、その固定状態がより強固になる。また、クリップガイド４４内には挿入板７４が配置されているため、挟持によってクリップガイド４４が押しつぶされることがない。一方、この固定状態から蝶ねじ７０を緩めれば、クリップ固定部５６からクリップガイド４４を解放することが可能になる。なお、クリップガイド４４に対する挟持面となる上板部６４の内面も、上記挟持板７２の上面７３と同様に粗面化してもよい。
【００３８】
次に、図８を参照して、上記構成からなるクリップガイド差込工具５０の使用状態について説明する。
まず、クリップガイド４４の交換を行う作業者は、ハンドガードスイッチ装置のブーツ２２の端面近傍位置まで、適当な又は専用の工具を用いて移動手摺１８を手摺ガイドレール３０から取り外しておく。
【００３９】
そして、クリップガイド４４の端部をガイドレール部４０に嵌め込んだ状態で、手摺入り込み口２１における手摺ガイドレール４０と移動手摺１８との間の隙間にクリップガイド４４を手で押し込めるところまで差し込んでいく。
【００４０】
クリップガイド４４を手力で押し込みづらくなってきたとき、そこからクリップガイド差込工具５０を使用する。まず、クリップガイド差込工具５０のレール固定部５８をブーツ２２の端面から適当な距離（例えば約１５ｃｍ程度）だけ離れた位置でガイドレール部４０上に固定し、次いでブーツ２２の端面から適当な距離（例えば約２０ｃｍ程度）だけ離れた位置でクリップガイド４４の連続する部分をクリップ固定部５６に固定する。
【００４１】
そして、この状態で把持部５２を矢印Ｃ方向に押し込む。すると、レール固定部５８を支点、クリップ固定部５６を作用点、把持部５２を力点として、てこ（第２種てこ）の原理によりクリップ固定部５６に固定されたクリップガイド４４の長手方向に大きな押し込み力を作用させることができる。これにより、クリップガイド４４を手摺入り込み口２１から奥側のトラス２０内へと押し込むことができる。一回の操作でクリップガイド４４が例えば数ｃｍ程度押し込まれた後、クリップ固定部５６からクリップガイド４４を一旦解放し、ブーツ２２の端面から適当な距離だけ離れた位置でクリップ固定部５６にクリップガイド４４を再度固定して同様に押し込む操作を行う。このような操作を何回か繰り返して、クリップガイド４４の挿入側の端部が所定の当り部材（図示せず）に当接したところで、このクリップガイド４４についての差込作業が終了する。
【００４２】
それから、同じ手摺ガイドレール３０のもう一方のガイドレール部４２についても同様に、クリップガイド４４の差込作業を行い、１基のエスカレータ１０につき８ヶ所で同様のクリップガイド４４の差込作業を行うことになる。
【００４３】
このように本実施形態のクリップガイド差込工具５０によれば、一人の作業者の手力では遂行が困難なクリップガイド４４の差込作業を容易に行うことができ、クリップガイドの交換作業の効率を大きく向上させることができる。
【００４４】
なお、本発明に係るクリップガイド差込工具は、上述した形態のものに限定されず、種々の変更や改良が可能である。
【００４５】
例えば、上記においてはクリップ固定部５６において挿入板７４を内側にかませたクリップガイド４４を上下から挟持するものとしたが、これに限定されるものではなく、クリップ固定部５６においてクリップガイド４４の上片部４５ａまたは下片部４５ｂを挟持して固定してもよい。この場合、クリップ固定部５６の開口６５を把持部５２側に向けるようにクリップ固定部５６を回動させればよく、クリップガイド４４の下片部４５ｂを挟持する場合にはクリップ固定部５６を延伸部５４の上側に配置してもよい。
【符号の説明】
【００４６】
１０  エスカレータ、１１  制御盤、１２  乗降口、１４  ステップ、１５  床部、１６  欄干部、１８  移動手摺、２０  トラス、２１  手摺入り込み口、２２  ハンドガードスイッチ装置のブーツ、３０  手摺ガイドレール、３２  床板、３４  コムプレート、３６  コム、４０，４４  ガイドレール部、４４  クリップガイド、５０  クリップガイド差込工具、５２  把持部、５４  延伸部、５６  クリップ固定部、５８  レール固定部。
【図１】
2011116518.tif 000003
【図２】
2011116518.tif 000004
【図３】
2011116518.tif 000005
【図４】
2011116518.tif 000006
【図５】
2011116518.tif 000007
【図６】
2011116518.tif 000008
【図７】
2011116518.tif 000009
【図８】
2011116518.tif 000010